(57)【要約】【課題】            寒冷地等の凍結し易い河川やダム等における水位を安定的に計測し得ると共に、万一、水圧室に水が浸入してそれが凍結したとしても、水位計が損壊しないようにする。【解決手段】        河川等の水中に設置された水位計２０に対し、その水深に対応した水圧が、連通孔２１ｃ、間隙２３を順次介してカバー部材２１内の空間内に充填された充填液体３０に伝達され、その充填液体３０を介して水位計の受圧部材を押圧する。万が一、充填液体３０が間隙２３、連通孔２１ｃを介して一部流出し、代りに、連通孔２１ｃから水が浸入し、その水が凍結したとしても、その凍結時に発生する過大な圧力は、袋状体２８に吸収されるため、受圧部材等の損壊は免れる。【選択図】          図１
0003111715.tif 000002
【実用新案登録請求の範囲】
【請求項１】
被測定流体の圧力に応じて変形または変位する受圧部材と、この受圧部材の変形または変位に伴い変形する起歪部と、前記起歪部に添着されたひずみゲージと、本体ケース部に設けられた水位計において、
前記本体ケース部の下方外周を空間を存して囲繞すると共に、前記本体ケース部外周にシール部材を介して水密状に連結固定され、
上方部に前記被測定流体が出入自在な比較的小さな連通孔が穿設されたカバー部材と、
このカバー部材の前記空間内に配設され、前記空間内の過大な圧力を吸収する気体入り袋状体と、
前記空間内に充填された比重が水より大きい液体と、
を備え、
前記連通孔を介して印加される前記被測定流体の圧力を前記液体を介して前記受圧部材で受けて、前記ひずみゲージにより前記被測定流体の圧力を電気信号に変換するように構成したことを特徴とする耐寒性水位計。
【請求項２】
前記液体は、比重が１．９であるフッ素系オイルであることを特徴とする請求項１に記載の耐寒性水位計。
【請求項３】
前記袋状体は、金属製、合成樹脂製およびゴム製のいずれか１つの材質よりなり、内部に所定圧の空気が封入されていることを特徴とする請求項１に記載の耐寒性水位計。
【請求項４】
前記本体ケース部には、下端部に被測定流体からの水圧を受ける受圧部材と、この受圧部材で受けた圧力を力に変換して大気圧受圧板に伝達すると共に、起歪部に変位を与える力伝達棒とが設けられていることを特徴とする請求項１〜３のいずれか１項に記載の耐寒性水位計。
【請求項５】
前記本体ケース部の大気圧受圧板側の内部には、外部から大気圧を導入するキャピラリチューブが連通するように配設されていることを特徴とする請求項１〜４のいずれか１項に記載の耐寒性水位計。
【請求項６】
前記本体ケース部の内壁と前記大気圧受圧板と、前記起歪部と前記力伝達棒とで区画される密閉空間内に、不活性ガスが充填されていることを特徴とする請求項４に記載の耐寒性水位計。
【考案の詳細な説明】
【技術分野】
【０００１】
本考案は、被測定流体の圧力に応じて変形または変位する受圧部材と、この受圧部材の変形または変位に伴い変形する起歪部と、前記起歪部に添着されたひずみゲージが本体ケース部に設けられた水位計に関し、特に寒冷地における使用に耐え得る耐寒性水位計に関するものである。
【背景技術】
【０００２】
従来、河川、貯水池、湖沼等の水圧を検出することによって、これらの水位を測定することのできる水位計としては、種々の型式のものが用いられている。
上記した水位計の原理としては、受圧部材となるベローズ蓋の変位量あるいはダイヤフラムに生じたひずみ量を力伝達棒を介してそのベローズ蓋あるいはダイヤフラムに連結された起歪板に添着したひずみゲージによって、電気的出力に変換して取り出すように構成されている。
例えば、特許文献１（実公平７−１０２５８号公報）には、上述したベローズ蓋を受圧部材とした場合の水位計の従来例が開示されている。
即ち、特許文献１に示す耐寒性水位計は、本体ケース部のフィルタをカバー部材で囲繞すると共に、カバー部材内に不凍液からなる充填液体を満たし、カバー部材の上部に被測定流体の水圧が上記充填液体に印加される連通孔を開口した構成としたので、寒冷地などの凍結し易い流雪溝の水位を監視する水位計に適用しても、伸縮動作する水圧側ベローズが直接、被測定流体と接触することがないため、該水圧側ベローズが凍結して水位計としての機能が損なわれることがなく、正確な水位を安定して測定することが可能となる。
【０００３】
図５は、上記特許文献１に開示された耐寒性水位計とほぼ同様の従来技術の一例の構成を示す断面図である。
但し、水位計本体部は、破断して示してはいない。
図５において、本体ケース部１は、下方から順に、フィルタ１ａ、起歪部ケース１ｂおよびケーブル引込み用ケース１ｃから構成されている。
この本体ケース部１のフィルタ１ａおよび起歪部ケース１ｂの外周を、所要の間隔を存して筒状のカバー部材２で囲繞する。カバー部材２の底部には、図示は省略したが、ねじにより上記本体ケース部１の底カバー１ｄが当接された状態で固定されている。
上記カバー部材２の上部には、円形状の開口部が設けられ、その開口部には、本体ケース部１が次述するシール手段により水密状に結合されている。
即ち、上記カバー部材２の上記開口縁には、内方に向けて突出する引掛座３ａを有するリング体３が溶接等により固着されている。このリング体３内には、上下を座金４ａと４ｂとで挟まれた円筒状のゴムブッシュ４が挿入され、上記リング体３の引掛座３ａに落とし込まれている。そして、このゴムブッシュ４の一面（図においては、上面）側から締付グランド５が、その外面の雄ねじ５ａを、上記リング体３の内面に形成した雌ねじ３ｂにねじ込まれている。それにより、ゴムブッシュ４は、圧迫されて内外径方向へ膨張し、本体ケース部１の外周面とリング体３内周面に密着され、上記本体ケース部１とリング体３の内周面に密着され、上記本体ケース部１とリング体３間を水密状にシールしている。
【０００４】
そして、カバー部材２内には、水よりも比重が大きな不凍液などの充填液体６を充填してある。上記リング体３のフランジ部３ｃには、比較的に小さな連通孔３ｄが穿設され、この連通孔３ｄを介して被測定流体の水圧が上記充填液６に印加されるようになっている。
被測定流体の水圧は、連通孔３ｄから充填液体６へ印加される。これによって、上記充填液体６へ印加された圧力は、フィルタ１ａを介して水圧室内に臨んでいる水圧側ベローズのベローズ蓋に印加される。つまり、水深に応じた水圧に大気圧が加算された圧力がベローズ蓋に加わり、上述したように、連結ロッドを介して起歪板を撓ませ、そのひずみ量がひずみゲージによって電気信号に変換される。
【０００５】
【特許文献１】実公平７−１０２５８号公報
【考案の開示】
【考案が解決しようとする課題】
【０００６】
上述した従来の耐寒性水位計は、寒冷地（−２０℃から−３０℃）においても不凍液は凍結しないので、支障なく水位の計測が可能であると考えられていた。しかしながら、ごく稀に水位計の出力に異常値を示したり、場合によっては、水位計自体が損壊する、という事態が生じたが、長い間、その原因が不明であった。
そこで、本考案者らは、その原因を鋭意究明した結果、何らかの原因で、上記カバー部材２の内部に充填していた充填液体６が連通孔３ｄを介して湧出、または流出し、その湧出した分のスペースに被測定流体である河川等の水が浸入し、その水が凍結しカバー部材２内や水圧室内のオイルの圧力を大きく上昇させる結果、水位計の受圧部材または起歪部、あるいはベローズを損壊させてしまうことが判明した。
水位計は、河川や湖沼等に設置されるものであるが、損壊した水位計を回収することが困難乃至は不可能な場合が多く、また新品の水位計を再設置ことにも困難があり、設置コストが嵩むという問題があった。
【０００７】
本考案は、上述した事情に鑑みてなされたもので、その第１の目的とするところは、万が一カバー部材内に被測定流体が浸入し、凍結をした場合でも、水位計自体は何ら損壊するおそれがない耐寒性水位計を提供することにあり、第２の目的とするところは、万が一、カバー部材内で凍結した被測定流体が、水温の上昇により融解した場合には、再び支障なく水位を計測し得る耐寒性水位計を提供することにあり、第３の目的とするところは、簡素な構成で且つ安価な構成でありながら、上記第１および第２の目的を達成し得る耐寒性水位計を提供することにある。
【課題を解決するための手段】
【０００８】
請求項１に記載した考案に係る耐寒性水位計は、上述した上記第１〜第３の目的を達成するために、
被測定流体の圧力に応じて変形または変位する受圧部材と、この受圧部材の変形または変位に伴い変形する起歪部と、前記起歪部に添着されたひずみゲージと、本体ケース部に設けられた水位計において、
前記本体ケース部の下方外周を空間を存して囲繞すると共に、前記本体ケース部外周にシール部材を介して水密状に連結固定され、
上方部に前記被測定流体が出入自在な比較的小さな連通孔が穿設されたカバー部材と、
このカバー部材の前記空間内に配設され、前記空間内の過大な圧力を吸収する気体入り袋状体と、
前記空間内に充填された比重が水より大きい液体と、
を備え、
前記連通孔を介して印加される前記被測定流体の圧力を前記液体を介して前記受圧部材で受けて、前記ひずみゲージにより前記被測定流体の圧力を電気信号に変換するように構成したことを特徴としている。
【０００９】
請求項２に記載した考案に係る耐寒性水位計における前記液体は、比重が１．９であるフッ素系オイルであることを特徴としている。
請求項３に記載した考案に係る耐寒性水位計における前記袋状体は、金属製、合成樹脂製およびゴム製のいずれか１つの材質よりなり、内部に所定圧の空気が封入されていることを特徴としている。
請求項４に記載した考案に係る耐寒性水位計における前記本体ケース部には、下端部に被測定流体からの水圧を受ける受圧部材と、この受圧部材で受けた圧力を力に変換して大気圧受圧板に伝達すると共に、起歪部に変位を与える力伝達棒とが設けられていることを特徴としている。
請求項５に記載した考案に係る耐寒性水位計は、前記本体ケース部の大気圧受圧板側の内部には、外部から大気圧を導入するキャピラリチューブが連通するように配設されていることを特徴としている。
請求項６に記載した考案に係る耐寒性水位計は、前記本体ケース部の内壁と前記大気圧受圧板と、前記起歪部と前記力伝達棒とで区画される密閉空間内に、不活性ガスが充填されていることを特徴としている。
【考案の効果】
【００１０】
本考案によれば、凍結の可能性のある河川や湖沼等の被測定流体の水位を正確に計測し得ることはもとより、カバー部材内に被測定流体が浸入し、凍結したとしても、損壊することがなく、しかも簡素な構成で低コストで製作し得る耐寒性水位計を提供することができる。
すなわち、請求項１に記載の考案によれば、被測定流体の圧力に応じて変形または変位する受圧部材と、この受圧部材の変形または変位に伴い変形する起歪部と、前記起歪部に添着されたひずみゲージと、本体ケース部に設けられた水位計において、
前記本体ケース部の下方外周を空間を存して囲繞すると共に、前記本体ケース部外周にシール部材を介して水密状に連結固定され、上方部に前記被測定流体が出入自在な比較的小さな連通孔が穿設されたカバー部材と、
このカバー部材の前記空間内に配設され、前記空間内の過大な圧力を吸収する気体入り袋状体と、
前記空間内に充填された比重が水より大きい液体と、
を備え、
前記連通孔を介して印加される前記被測定流体の圧力を前記液体を介して前記受圧部材で受けて、前記ひずみゲージにより前記被測定流体の圧力を電気信号に変換するように構成したので、寒冷地等の凍結し易い流雪溝や河川、ダムあるいは貯水池等の水位の測定用や監視用として用いても、凍結することなく水位に正確に対応した電気信号を安定的に得ることができ、また、水位計の設置場所から離れた遠隔地にて集中的に水位の測定が得られることはもとより、特に、カバー部材内に水等が浸入して凍結しても、損壊することを防止し得る耐寒性水位計を安価に提供することができる。
【００１１】
また、請求項２に記載の考案によれば、前記液体は、比重が１．９であるフッ素系オイルであるので、−２０℃〜−３０℃の低温下でも凍結することがなく、しかも、水より比重が大きいので、水位を計測する水は、連通孔から多少浸入するが、カバー部材内まで浸入することがなく、この点で、先ず凍結による損壊を防止し得る耐寒性水位計を提供することができる。
また、請求項３に記載の考案によれば、前記袋状体は、金属製、合成樹脂製およびゴム製のいずれか１つの材質よりなり、内部に所定圧の空気が封入されていることを特徴とり、内部に所定圧の空気が封入されているので、構成が簡素で、安価に製作し得るにも拘わらず、万一、カバー部材内に被測定流体である水が浸入し、凍結して体積が膨張することによる過大な圧力を吸収し、損壊を未然に防止し得る耐寒性水位計を提供することができる。
また、請求項４に記載の考案によれば、前記本体ケース部には、下端部に被測定流体からの水圧を受ける受圧部材と、この受圧部材で受けた圧力を力に変換して大気圧受圧板に伝達すると共に、起歪部に変位を与える力伝達棒とが設けられているので、起歪部が受圧部材と、大気圧受圧板との間に配設されて外気と隔絶されており、起歪板に添着されるひずみゲージが、被測定流体および大気と隔絶され、ひずみゲージの絶縁低下や劣化を防止し得る耐寒性水位計を提供することができる。
【００１２】
また、請求項５に記載の考案によれば、前記本体ケース部の大気圧受圧板側の内部には、外部から大気圧を導入するキャピラリチューブが連通するように配設されているので、受圧部材には、水深に応じた水圧に大気圧が加算されて印加されるが、キャピラリチューブで大気圧受圧板側にも大気圧を印加する結果、相殺されて水深に応じた水圧を正確に計測し得る耐寒性水位計を提供することができる。
また、請求項６に記載の考案によれば、前記本体ケース部の内壁と前記大気圧受圧板と、前記起歪部と前記力伝達棒とで区画される密閉空間内に、不活性ガスが充填されているので、起歪部に添着されたひずみゲージの酸化や絶縁低下を抑制し得る耐寒性水位計を提供することができる。
【考案を実施するための最良の形態】
【００１３】
以下、本考案に係る実施の形態につき、添付図面を参照して詳しく説明する。
図１は、本考案の一つの実施の形態に係る耐寒性水位計（以下、単に「水位計」と称することがある）の断面構成を示す縦断面図である。
図２は、図１の水位計の右半分を破断して示し、左半分を正面図として示す半断面図であり、図３は、図１の水位計の平面図であり、図４は、図１の水位計を構成する水位計本体部の縦断面図である。
先ず、本考案に使用される水位計本体の構成の一例を図４を用いて説明する。
１０は、本体ケース部を示し、この本体ケース部１０は、上方から下方向にかけて、ケーブル引込み用ケース１０ａと、このケーブル引込み用ケース１０ａが下端に連結される起歪部ケース１０ｂと、この起歪部ケース１０ｂの下端に連結される円筒状のフィルタ１０ｃと、このフィルタ１０ｃの開口底部を閉塞し、対向部に位置する後述の受圧部材を保護する底カバー１０ｄとから構成されている。
本体ケース部１０には、起歪部ケース１０ｂを境として、その上部に大気圧室Ｂが形成されると共に、下部に水圧室Ａが形成されている。
【００１４】
上記ケーブル引込み用ケース１０ａの上部には、図示は省略したが、ケーブル１２を圧接保持するケーブルグランドが円周面に形成された雌ねじ部にねじ込まれ、このケーブルグランドの下端には、防水用のパッキン部材が配設され、かつ上記ケーブルグランドによって圧縮されているものとする。
上記ケーブル１２内には、大気圧室Ｂに基準点における大気を導入するためのキャピラリチューブ１３および複数の信号線１４が共に挿通され、このうち、キャピラリチューブ１３は、その基端が大気圧室Ｂへ導かれている。
また、信号線１４は、ケーブル引込み用ケース１０ａ内の避雷対策用の図示しないアレスタに接続されると共に、後述するひずみゲージに接続されている。図示しない上記避雷対策用のアレスタや温度計測用の測温抵抗体は、絶縁抵抗の低下を防ぐために、樹脂によりモールドし保護している。
フィルタ１０ｃは、水圧受圧面を直接的な負荷および水中に含まれる異物から保護する役割を兼ねている。
起歪部ケース１０ｂには、薄肉で可撓性を有する起歪部１６ａが形成され、この起歪部１６の中心部に直交する方向に力伝達棒１６ｂが形成されている。
【００１５】
この起歪部ケース１０ｂと力伝達棒１６ｂの下端面には、薄肉で可撓性を有する受圧部材１５ａが、溶接により一体的に気密状に固着されており、起歪部ケース１０ｂと力伝達棒１６ｂの上端面には、薄肉で可撓性を有する大気圧受圧板１５ｂが一体的に気密状に固着されている。
尚、起歪部１６ａの上面側には、例えば４枚または８枚のひずみゲージ１７が接着、蒸着、スパッタリング等の手段により添着されている。図示は省略してあるが、各ひずみゲージ１７のゲージタブには、ゲージリードが接続されており、そのゲージリードは、信号線１４にそれぞれ接続されるものとする。
そして、信号線１４の他端側は、離れた場所に設置されたひずみ測定器、即ち、水位測定器の入出力端に接続され、ブリッジ電源の供給を受けると共に、ひずみゲージの抵抗値変化に伴う出力電圧を導出する。
【００１６】
図１は、上述のように構成された水位計を耐寒性水位計に適用した要部の縦断面図であるが、水位計本体部については、断面は示されていない。
図１〜図３において、２０は、耐寒性水位計であり、２１ａは、本体ケース部１０のフィルタ１０ｃおよび起歪部ケース１０ｂの外周を所要の間隔を存して囲繞する円筒状のカバーで、その底部には、底板２２が嵌合し、その接合部外周が溶接により気密状に固着されている。
底板２２には、複数の雌ねじ穴２２ａが形成されている。
カバー２１ａの上端縁には、リング体２１ｂが嵌合し、その嵌合部外周が溶接により、気密状に連接されている。
上記カバー２１ａとリング体２１ｂとからカバー部材２１が形成されている。
リング体２１ｂの内周径は、本体ケース部１０の外径（ケーブル引込み用ケース１０ａの外径）よりも僅かに大径に設定されて、両者間には、所定の間隙２３が設けられており、リング体２１ｂの外周面から中心方向に向い、上記間隙２３に達するように連通孔２１ｃが穿設されている。
リング体２１ｂは、上半部の内径が下半部の内径よりも大径とされて段部２１ｄが形成され、さらに、その上半部の円周面には、雌ねじ部２１ｅが形成されている。
【００１７】
リング体２１ｂに本体ケース部１０が嵌入された状態において、両者間に形成されるギャップの間の上記段部２１ｄの上に、座金２４、ガスケット２５および座金２６の順に嵌合し、さらに締め付けグランド２７の外周に形成された雄ねじ部２７ａを、リング体２１ｂの内周に形成された雌ねじ部２１ｅに螺合し、強く締め付けることで、上記ガスケット２５が圧迫されて内外径方向へ膨張し、本体ケース部１０の外周面とリング体２１ｂの内周面に密着され、上記本体ケース部１０とリング体２１ｂ間を水密的にシールしている。
締め付けグランド２７の上端部には、吊り下げ用ワイヤ固定ねじ穴２７ｂが形成されている。
リング体２１ｂの一部には、気体（不活性ガス、空気等）を封入した袋状体２８を配設するための収納部２９が形成されている。この袋状体２８は、例えば、金属製、合成樹脂製およびゴム製のいずれでも用いることができ、例えば、金属製や合成樹脂製のものにあって、下端のみ開口されたチューブ状を呈したものを用いることができる。
上記カバー部材２１のカバー２１ａ内には、水よりも比重の大きな液体、例えば、比重が１．９のフッ素系オイルなどの充填液体３０を充填してある。
【００１８】
上述の如き構成からなる本考案に係る耐寒性水位計の作用につき説明する。
先ず、水位計２０の吊り下げ用ワイヤ固定ねじ穴２７ｂに図示しない吊り下げ用ワイヤ固定ねじを螺合し、吊り下げ用ワイヤを水位計２０に連結する。
吊り下げ用ワイヤに吊り下げられた水位計は、被測定対象としての河川の、例えば流雪溝の所定深さ位置に設置される。
この際、ケーブル１２は、地上の離れた地点に設置された計測器に導かれる。
水位計２０が設置された個所から水面までの高さ（深さ）に対応する被測定流体の水圧は、カバー部材２１（リング体２１ｂ）の連通孔２１ｃ、間隙２３を介して充填液体３０へ印加される。これによって上記充填液体３０へ印加された圧力は、フィルタ１０ｃを介して水圧室Ａ内に臨んでいる受圧部材１５ａに印加される。
つまり、水深に応じた水圧に大気圧が加算された圧力が受圧部材１５ａに加わる。
【００１９】
一方、大気圧室Ｂにもキャピラリチューブ１３を介して大気圧が導入されているため、大気圧受圧板１５ｂには、大気圧が負荷されている。その結果、大気圧の変化に拘わらず、水深に対応した水圧によって水圧側の受圧部材１５ａは、押圧されて上方に弧状に変形し力伝達棒１６ｂを押し上げる。この変位は、起歪部１６ａにも伝達され、起歪部１６ａを変形させ、そのひずみ量がひずみゲージ１７によって電気信号に変換される。ひずみ量は、圧力水頭、すなわち水面から水圧側の受圧部材１５ａまでの水深に比例する。従って、ひずみゲージ１７によって構成されるホイートストンブリッジ（図示せず）の入力端にブリッジ電源を供給すれば、該ホイートストンブリッジの出力端から所望の深さの水位に対応した電気信号を、ケーブル１２等を介して地上に導出することができる。
上述したように、本考案による耐寒性水位計２０は、本体ケース部１０のフィルタ１０ｃをカバー部材２１のカバー２１ａで囲繞すると共に、カバー部材２１内に水よりも比重の大きな液体からなる充填液体３０を満たし、カバー部材２１（リング体２１ｂ）の上部に被測定流体の水圧が上記充填液体３０に印加される連通孔２１ｃおよび間隙２３を形成した構成としたので、寒冷地などの凍結し易い流雪溝等の水位を監視する水位計に適用しても、変形動作する受圧部材１５ａが直接、被測定流体と接触することがないため、該受圧部材１５ａが凍結して水位計としての機能が損なわれることがなく、正確な水位を安定して測定することが可能となる。
【００２０】
ところで、水位計２０が、運搬時、設置時、あるいは、河川等に設置稼動中に木片やくずなどの流動物が水位計に当たるなどして、水位計２０が傾いたりしたときに、充填液体３０がカバー部材２１内から間隙２３、連通孔２１ｃを介して逆流して外部に流出した場合には、カバー部材２１内に充填液体３０が流出した部分に、被測定流体（水）が流入することになる。
すると、寒冷時に、カバー部材２１内の上部に浸入した水が凍結し、カバー部材２１内の圧力が過大に上昇する。
しかしながら、本考案に係る水位計２０は、カバー部材２１内に圧縮性気体が充填された袋状体２８が配設されているため、過大な圧力は、袋状体２８に吸収され、受圧部材１５ａには、過大な圧力は負荷されない。
従って、このような事態になっても水位計２０を構成する受圧部材１５ａ、起歪部１６ａ、大気圧受圧板１５ｂは、損壊から免れる。
【００２１】
本考案によれば、このように、不用意にカバー部材２１内に水などが浸入してそれが凍結しても、受圧部材１５ａ等の損壊を未然に防止することができると共に、被測定流体の水温が上昇し、凍結状態から溶解状態になれば何ら特別の修理や復旧作業を必要とすることなく、水位観測を引続き行うことができる。
また、本考案に係る水位計２０は、フィルタ１０ｃを囲繞しているカバー２１ａには、比較的小さな連通孔が開いているだけであるため、たとえ、水中に汚泥、岩石、ゴム等の異物が含有した環境に設置されても、これら異物はカバー部材２１内の充填液体３０中に浸入することもない。従って、異物がフィルタ１０ｃを通過して水圧室Ａに入り、受圧部材１５ａに付着することによって受圧部材１５ａの動作が妨げられるという不都合は生じない。
尚、本考案は、上述した実施の形態のみに限定されるものではなく、その要旨を逸脱しない範囲内で種々の変形実施が可能である。
例えば、水位計本体部において、水位の検知手段として、受圧部材１５ａと大気圧受圧板１５ｂを力伝達棒１６ｂで連結した構成としたものを用いたが、受圧部材１５ａと大気圧受圧板１５ｂとの間にベローズを介在させた構成としてもよい。
また、上述した実施の形態では、起歪部１６ａとして、ダイアフラム型のものの例を示したが、基端が起歪部ケース１０ｂに固定され、自由端側が力伝達棒１６ｂに連結したカンチレバー型のものを用いてもよい。
【図面の簡単な説明】
【００２２】
【図１】本考案の一つの実施の形態に係る耐寒性水位計の断面構成を示す縦断面図である。
【図２】図１の水位計の右半分を破断して示し、左半分を正面外観を示す半断面図である。
【図３】図１の水位計を上面から見た平面図である。
【図４】図１の水位計を構成する水位計本体部の断面構成を示す縦断面図である。
【図５】従来の耐寒性水位計の構成を示す断面図である。
【符号の説明】
【００２３】
１０    本体ケース部
１０ａ    ケーブル引込み用ケース
１０ｂ    起歪部ケース
１０ｃ    フィルタ
１０ｄ    底カバー
１２    ケーブル
１３    キャピラリチューブ
１４    信号線
１５ａ    受圧部材
１５ｂ    大気圧受圧板
１６ａ    起歪部
１６ｂ    力伝達棒
１７    ひずみゲージ
２０    耐寒性水位計
２１    カバー部材
２１ａ    カバー
２１ｂ    リング体
２１ｃ    連通孔
２１ｄ    段部
２１ｅ    雌ねじ部
２２    底板
２３    間隙
２４，２６    座金
２５    ガスケット
２７    締め付けグランド
２８    袋状体
２９    収納部
３０    充填液体
【図１】
0003111715.tif 000003
【図２】
0003111715.tif 000004
【図３】
0003111715.tif 000005
【図４】
0003111715.tif 000006
【図５】
0003111715.tif 000007